(57)【要約】【課題】構造が簡単であり接続が確実で扱いが容易な接続端子を提供する。【解決手段】２つのビス６２，６２の軸部に接続端子の接触部１１，１１が押し付けられて、この軸部を挟み込んでいる。接触部１１，１１は金属線材を曲げて波打ち形状としているので、軸部の曲面に沿って接触し、弾性力により強く軸部に押し付けられている。【選択図】図３
2007103227.tif 000002
【特許請求の範囲】
【請求項１】
基材面から突き出している導電体部材に接続される接続端子であって、
前記導電体部材の側壁を挟み込む端子部と、該端子部を固定する固定部とを備え、
前記端子部は、先端が２つに分かれており、該先端から後方に伸びる２つの接触部を備え、
前記接触部は、前記導電体部材の側壁の一部に沿う形状を有し、該導電体部材に接触して弾性力により該導電体部材に押し付けられる、接続端子。
【請求項２】
基材面から突き出している導電体部材に接続される接続端子であって、
前記導電体部材の側壁を挟み込む端子部と、該端子部を固定する固定部とを備え、
前記端子部は、先端が２つに分かれており、該先端から後方に伸びる２つの接触部を備え、
前記基材面に沿って前記端子部の先端を前記導電体部材に押し付けることにより該先端が押し広げられて、前記２つの接触部の間に該導電体部材が弾性力により挟み込まれる、接続端子。
【請求項３】
前記導電体部材は前記先端の部分を通過して前記２つの接触部の間に挟み込まれて、２つの前記先端間の距離が、前記導電体部材の径よりも小さくなる、請求項２に記載の接続端子。
【請求項４】
前記端子部は金属線材からなる、請求項１から３のいずれか一つに記載の接続端子。
【請求項５】
前記導電体部材は、ネジであって、前記基材面から軸部の一部と頭部とが突き出しており、
前記端子部は、前記軸部を挟み込む、請求項１から４のいずれか一つに記載の接続端子。
【請求項６】
前記ネジの頭部を覆うカバーをさらに備えた、請求項５に記載の接続端子。
【請求項７】
前記ネジは近接して２本存し、前記端子部は該２本のネジの軸部を挟み込む、請求項５または６に記載の接続端子。
【請求項８】
基材面から突き出している２つの近接した導電体部材に接続される接続端子であって、
前記導電体部材に接触する２つの端子部と、該端子部を固定する固定部とを備え、
２つの前記端子部は、前記固定部から略同方向に伸びており、伸びる方向に対して垂直な方向における該端子部の幅のうち少なくとも一部は前記２つの導電体部材間の距離よりも大きく、当該一部における２つの端子部間の距離は前記導電体部材の径よりも小さく、
２つの前記端子部には、双方の先端部分が互いに離れるように力が加えられた際に弾性力によって当該先端部分同士が近づく向きに力がかかる、接続端子。
【請求項９】
基材面から突き出している２つの近接した導電体部材に接続される接続端子であって、
前記導電体部材に接触する２つの端子部と、該端子部を固定する固定部とを備え、
２つの前記端子部は、前記固定部から略同方向に伸びており、
２つの前記端子部には、双方の先端部分が互いに離れるように力が加えられた際に弾性力によって当該先端部分同士が近づく向きに力がかかり、
前記２つの導電体部材の間に前記端子部の先端部分を差し込んで、それぞれの端子部を双方の導電体部材に接触させるとともに前記弾性力によって２つの端子部により導電体部材を挟み込む、接続端子。
【請求項１０】
前記弾性力は、前記端子部自体の弾性力である、請求項８または９に記載の接続端子。
【請求項１１】
前記弾性力の少なくとも一部は、前記２つの端子部に取り付けられた弾性部材による弾性力である、請求項８または９に記載の接続端子。
【請求項１２】
前記導電体部材はネジである、請求項８から１１のいずれか一つに記載の接続端子。
【請求項１３】
前記２つの端子部のうち、対向面とは反対側の面には絶縁部材が取り付けられている、請求項８から１２のいずれか一つに記載の接続端子。
【請求項１４】
前記基材面の上方から前記２つの導電体部材の間に前記端子部の先端部分を差し込む、請求項９に記載の接続端子。
【発明の詳細な説明】
【技術分野】
【０００１】
本発明は、接続端子に関し、特に基材面から突き出している導電体部材に接続される接続端子に関するものである。
【背景技術】
【０００２】
電気機器の電圧や電流を測定する際に、測定器の接続端子としてワニ口クリップがよく用いられる。ワニ口クリップは、鋸状の突起を挟み込み部に有するクリップであり、電気機器の測定部分を挟み込み部で挟んで電気的な接続を確保する。
【０００３】
けれどもワニ口クリップは鋸状の突起で被接続部分を挟んでいるために１点か２点ぐらいしか接触しておらず、把持力が弱く、少しの力がかかっただけでも外れてしまう場合がある。外れた場合には測定ができなくなるだけではなく、短絡してしまってけがをしたり機器が壊れたり、停電したりする虞がある。
【０００４】
このようなワニ口クリップの欠点を解消するため、特許文献１には被接続物とクリップ型接続端子の接続部とが多点支持または全面支持になるように挟み込み部分の形状に改良を加えたワニ口クリップが記載されている。
【特許文献１】登録実用新案第３０２６０７６号公報
【発明の開示】
【発明が解決しようとする課題】
【０００５】
しかしながら、特許文献１に記載されている改良クリップであっても突起端子、例えばネジやボルトの頭部に接続すると、クリップを斜めにする力が掛かったときに外れやすいという問題があった。特に電力量計やチェックターミナルなどは高電圧が掛かっていたり大電流が流れる場所であるが、電圧を測定するための端子はネジの頭部しかなく、ここにワニ口クリップを挟み込んで計測している途中にクリップが外れるとショートして非常に危険である。従って接続が確実で扱いが簡単な接続端子が必要であるが、このような端子は今のところ開発されていない。
【０００６】
本発明は、かかる点に鑑みてなされたものであり、その目的とするところは、構造が簡単であり接続が確実で扱いが容易な接続端子を提供することにある。
【課題を解決するための手段】
【０００７】
上記の課題を解決するために、本発明の第１の接続端子は、基材面から突き出している導電体部材に接続される接続端子であって、前記導電体部材の側壁を挟み込む端子部と、該端子部を固定する固定部とを備え、前記端子部は、先端が２つに分かれており、該先端から後方に伸びる２つの接触部を備え、前記接触部は、前記導電体部材の側壁の一部に沿う形状を有し、該導電体部材に接触して弾性力により該導電体部材の側壁に押し付けられる構成とした。この構成では、２つの接触部が導電体部材の側壁に沿う形状をしていて、その側壁を挟み込んで側壁に押し付けられ、導電体部材と強固に接続する。
【０００８】
本発明の第２の接続端子は、基材面から突き出している導電体部材に接続される接続端子であって、前記導電体部材の側壁を挟み込む端子部と、該端子部を固定する固定部とを備え、前記端子部は、先端が２つに分かれており、該先端から後方に伸びる２つの接触部を備え、前記基材面に沿って前記端子部の先端を前記導電体部材に押し付けることにより該先端が押し広げられて、前記２つの接触部の間に該導電体部材が弾性力により挟み込まれる。この構成では、２つの接触部が導電体部材を弾性力により挟み込んで、導電体部材と強固に接続する。
【０００９】
前記導電体部材は前記先端の部分を通過して前記２つの接触部の間に挟み込まれて、２つの前記先端間の距離が、前記導電体部材の径よりも小さくなることが好ましい。
【００１０】
前記端子部は金属線材からなることが好ましい。
【００１１】
前記導電体部材は、ネジであって、前記基材面から軸部の一部と頭部とが突き出しており、前記端子部は、前記軸部を挟み込むことが好ましい。
【００１２】
前記ネジの頭部を覆うカバーをさらに備えていることが好ましい。
【００１３】
本発明の第３の接続端子は、基材面から突き出している２つの近接した導電体部材に接続される接続端子であって、前記導電体部材に接触する２つの端子部と、該端子部を固定する固定部とを備え、２つの前記端子部は、前記固定部から略同方向に伸びており、伸びる方向に対して垂直な方向における該端子部の幅のうち少なくとも一部は前記２つの導電体部材間の距離よりも大きく、当該一部における２つの端子部間の距離は前記導電体部材の径よりも小さく、２つの前記端子部には、双方の先端部分が互いに離れるように力が加えられた際に弾性力によって当該先端部分同士が近づく向きに力がかかる。２つの導電体部材間の距離とは、２つの導電体部材の隣接する外壁間の距離のことである。また、２つの端子部が固定部から略同方向に伸びるというのは、厳密に同じ方向に伸びているのではなく、厳密に同じ方向から０度より大きく２０度以下傾いて伸びているものも含む意である。
【００１４】
本発明の第４の接続端子は、基材面から突き出している２つの近接した導電体部材に接続される接続端子であって、前記導電体部材に接触する２つの端子部と、該端子部を固定する固定部とを備え、２つの前記端子部は、前記固定部から略同方向に伸びており、２つの前記端子部には、双方の先端部分が互いに離れるように力が加えられた際に弾性力によって当該先端部分同士が近づく向きに力がかかり、前記２つの導電体部材の間に前記端子部の先端部分を差し込んで、それぞれの端子部を双方の導電体部材に接触させるとともに前記弾性力によって２つの端子部により導電体部材を挟み込む。
【００１５】
前記弾性力は、前記端子部自体の弾性力であることが好ましい。
【００１６】
ある好適な実施形態において、前記弾性力の少なくとも一部は、前記２つの端子部に取り付けられた弾性部材による弾性力である。
【００１７】
前記導電体部材はネジであることが好ましい。
【００１８】
前記２つの端子部のうち、対向面とは反対側の面には絶縁部材が取り付けられていることが好ましい。
【００１９】
前記基材面の上方から前記２つの導電体部材の間に前記端子部の先端部分を差し込むことが好ましい。
【発明の効果】
【００２０】
本発明の第１の接続端子は、接触部が導電体部材の側壁に沿って接触し弾性力により導電体部材に押し付けられるので、確実に接続されて外れにくい。本発明の第２の接続端子は、導電体部材に端子部の先端を押し付けて接触部間を押し広げそこに導電体部材を入れるので、接触部が導電体部材を弾性力により強く挟み込んで外れにくくなる。本発明の第３および第４の接続端子は、２つの導体部材間に端子部が差し込まれたときに端子部同士が導体部材を弾性力で挟み込み、確実に接続されるとともに外れにくくなる。
【発明を実施するための最良の形態】
【００２１】
以下、本発明の実施形態を図面に基づいて詳細に説明する。以下の図面においては、説明の簡潔化のため、実質的に同一の機能を有する構成要素を同一の参照符号で示す。
【００２２】
（実施形態１）
実施形態１の接続端子は、高電圧の電力量計の横に設置されているチェックターミナルの端子に接続される接続端子である。
【００２３】
図１は、チェックターミナルのうち一つのターミナルを横から見た図である。金属製の基材６１には穴が設けられていて、その穴に計器用ケーブル６４が差し込まれており、このケーブル６４は２本のビス（ネジ）６２，６２で基材６１に固定されている。電力量計などを交換する際には、ネジ留め用端子６３に代替用の電力線を接続して電力が連続して供給されるようにする。
【００２４】
このチェックターミナルにおいて電圧を測定しようとした場合、接続端子をネジ留め用端子６３かビス６２，６２に接続する必要がある。接続端子としてワニ口クリップを用いた場合、ネジ留め用端子６３に接続するとワニ口クリップがネジ留め用端子６３の側壁に２点で接触するのみである。つまり、２つの突起が接触するのだが、この突起は端子の径方向に力を加えるのみであるので、ワニ口クリップに少しでも力が掛かると接続が緩んで外れてしまう。ビス６２の１つにだけに接続するとネジ留め用端子６３の場合と同じ不具合が生じ、２つに接続すると確実に固定を行えるが、この場合はワニ口を覆っているゴム製のカバーを外してワニ口を大きく開く必要があり、隣のターミナルにワニ口が接触して短絡する虞がある。
【００２５】
このような問題を解決するために、図２に示すような本実施形態に係る接続端子を使用して電圧を測定する。図２の接続端子は上側カバー（不図示）を外した状態で、内部構造をわかりやすくしている。
【００２６】
本実施形態の接続端子は、電気絶縁性である樹脂製の固定部１２に端子部１５が固定されて形成されている。端子部１５は金属線材をヘアピン状に曲げて形成したものであり、固定部１２のリブ１８を挟み込んで固定されている。端子部１５は２つに分かれており、２つに分かれた先端部分（図の右端側）から内側において後方には接触部１１が伸びている。接触部１１は伸びる方向に対して波打つように曲げられており、後述するようにこの波打形状がネジ６２の軸部側壁に沿って接触する。端子部１５のうち接触部１１とは反対側の端はスリーブ１３に挿入されている。測定機器に繋がる配線１４もスリーブ１３に挿入されて端子部１５と電気的に接続されている。スリーブ１３は、かしめられて端子部１５と配線１４とを固定している。
【００２７】
固定部１２は、基板１７を有しておりその上に２本のリブ１８を備えている。基板１７の接触部１１の下に当たる部分には、ネジ６２，６２が入るようにＵ字型の切り欠きが設けられている。
【００２８】
本実施形態の接続端子は、基材６１の上面から突き出している導電体部材であるビス６２，６２に接続されるものであり、ビス６２，６２の中でも軸部６８，６８に接続されるものである。ビス６２，６２はケーブル６４を固定しているため、基材６１の上面から突き出しているのは頭部６７，６７だけではなく、軸部６８，６８も一部突き出しているため、この部分に接続をする。
【００２９】
次に本実施形態の接続端子をビス６２，６２に接続させる接続方法について説明をする。
【００３０】
まず端子部１５，１５の先端を、ターミナルの基材６１上面に沿って図１の矢印６５に移動させて図の左側のビス６２の軸部６８に当て、さらに端子部１５，１５をビス６２に押し付けていく。端子部１５，１５は金属線材をヘアピン状に曲げて形成されているので、ビス６２に押し当てられることで弾性的に変形していく。具体的には端子部１５，１５の先端が押し広げられてその間にビス６２の軸部６８が入り込んでいき、接触部１１，１１の波打形状のうちの先端部隣の凹部に軸部６８がはまりこみ、軸部６８側壁のカーブに沿って波打形状の凹部が全体として接触して、接触部１１，１１のこの部分が端子部１５，１５の弾性力によって軸部６８に押し付けられて、接続端子と軸部とが６８強固に接続固定される。
【００３１】
それから矢印６５の方向に強く端子部１５，１５を押し込んでさらに移動させることにより、図３に示すように、図３の下側のもう一つのビス６２も同様に接触部１１，１１の波打形状凹部にはまりこんで固定され、最初のビス６２は接触部１１，１１のもう一つの波打形状凹部にはまりこんで固定される。この時端子部１５，１５の先端間の距離は軸部６８の径よりも小さくなり、これによってもビス６２が接続端子に固定されて抜けないようになる。
【００３２】
このようにして接続端子がビス６２，６２に接続されて固定されると、端子部１５，１５は金属線材であるので、ビス６２，６２と電気的にも接続し配線１４を介して電気信号（電圧、電流）を測定器に送ることができる。また、実際の接続端子には端子部１５，１５の上方及び側方を覆い隠すカバーが設けられている。このカバーは絶縁性の部材（例えばゴムやプラスチック）よりなり、ビス６２，６２と接続されたときにはこのビス６２，６２も覆い隠す。従って、本実施形態の接続端子を取り扱う際には短絡の危険性はほとんど無い。
【００３３】
以上説明したように、本実施形態の接続端子は、端子部１５，１５の一部である接触部１１，１１がビス６２，６２の軸部６８，６８側壁の一部に沿う形状を有していて、軸部６８，６８側壁に接触してこの側壁に弾性力によって押し付けられるので、強固に且つ確実に挟み込んで外れないようになっている。また、２つに分かれた端子部１５，１５の先端にビス６２の軸部６８が押し付けられて、接触部１１，１１が弾性変形して軸部６８を波打形状凹部に挟み込んでいくので、接続端子に外力が多少かかっても接続が外れなく、強固な接続が行われる。
【００３４】
本実施形態では２本のビス６２，６２の両方に接続端子が接続しているが、１本のビス６２のみに接続しても構わない。ただし、２本に接続している方がより確実に接続されており、より外れにくい。
【００３５】
（実施形態２）
実施形態２の接続端子は、高電圧の電力量計の内部に存するネジに接続される接続端子である。
【００３６】
電力量計の内部の電力線は、確実に固定するために２本のネジで固定されている。この場合、図４に示すように別の電力線を固定する隣のネジとの短絡を確実に防ぐために、絶縁体よりなる基材に穴７１を設けてその中にネジ７２，７２の頭部７７，７７が隠れるようにしている。２本のネジ７２，７２は、お互いにその頭部７７，７７がぶつからない程度に近接して存している。ネジ７２，７２は電力線を押さえて固定しているため、軸部７８，７８も穴底面（基材面）７３から少し突き出している。電圧を測定するするために、このネジ７２，７２にワニ口クリップを挟んでも２つの突起が接触しているだけで少し力がかかるだけですぐに外れてしまう。特に容量が１２０Ａの電力量計は、頭部がないので、より外れやすい。
【００３７】
このような問題を解決するために、図５に示すような本実施形態に係る接続端子３０を使用して電圧を測定する。なお、この接続端子３０は２本のネジ７２，７２に接続される接続端子である。
【００３８】
本実施形態の接続端子３０は、２つの端子部２５，２５とこれらの端子部２５，２５を固定している固定部２２とを備えている。端子部２５，２５は断面が台形の棒状であり、固定部２２から略同方向に伸びている。ただ、２つの端子部２５，２５は固定部２２に固定されている部分ではお互いに離間しているが、先端に近づくに連れて互いに近づき、先端は接触している。２つの端子部２５，２５の向かい合っている部分は金属からなる接触部２１，２１であり、この対向面とは反対側の面は絶縁部材からなるカバー部２３，２３である。
【００３９】
固定部２２は外側のケースの部分が絶縁性材料から形成されている。固定部２２からは電圧計等の測定機器に繋がれる配線１４が出ており、この配線１４に固定部２２の内部において、端子部２５，２５の接触部２１，２１と電気的に繋がれている。
【００４０】
この接続端子３０を電力量計内部のネジ７２，７２に接続させた状態を図６に示す。また、図６のＡ−Ａ線断面を図７に示す。端子部２５，２５が固定部２２から伸びる方向に対して垂直な面内での端子部２５，２５の幅は、２本のネジ７２，７２の頭部７７，７７の離間距離よりも大きいが中心間距離よりは小さい。そして端子部２５，２５の先端同士は接触している。従って、端子部２５，２５を２本のネジ７２，７２の間に差し入れようとすると、端子部２５，２５の先端部がネジ７２，７２の頭部７７，７７に当たって押し広げられる。端子部２５，２５の先端が押し広げられると、端子部２５，２５自身の弾性によって先端同士が近づく向きに端子部２５，２５に力がかかり、端子部２５，２５のうち接触部２１，２１が頭部７７，７７に接触して押し付けられる。
【００４１】
このようにして２つの端子部２５，２５がネジ７２，７２の頭部７７，７７を挟み込み、２つの頭部７７，７７の間に入り込むので接続端子３０は多少力がかかってもネジ７２，７２から外れることはなく確実且つ強固な接続を行うことができる。端子部２５，２５を穴底面７３の方に近づくようより深く差し込めば、弾性力が大きくなって頭部７７，７７を挟み込む力がより大きくなり、より確実且つ強固な接続となる。接触部２１，２１は金属からなるので、ネジ７２，７２とは電気的な接続が行われる。一方、カバー部２３，２３があるため、隣のネジとの短絡の虞がない。このように本実施形態の接続端子３０は簡単な構造でありながら、確実に接続を行うことができる。また、接続方法も２本のネジ７２，７２の間にその上方から接続端子３０を差し込むだけなので、簡単である。さらに電力量計の種類が変わっても、ネジの大きさはそれほど変化しないので、一つの接続端子３０で、種々の電力量計に対応できる。
【００４２】
なお、端子部２５の断面形状は図７に示すような台形に限定されず、図８の端子部３５のようにＶ字型でもよく、円形やＵ字型などどのような形状でもよい。なお、図８において２７は接触部であり、２８はカバー部である。
【００４３】
（実施形態３）
実施形態３に係る接続端子は、実施形態２に係る接続端子３０とは、弾性部材としてバネが取り付けられている点が異なっており、他の点は同じであるので、異なっている点のみを説明する。
【００４４】
図９に示すように、本実施形態に係る接続端子３２では２つの端子部２５，２５をバネ４１が連結している。このバネ４１は、端子部２５，２５の先端が互いに離れる方向に力が加えられた場合に、逆に弾性力によって先端同士が近づく方向に力を加えるものである。従って、実施形態１よりもさらに強くネジ７２，７２を挟み込んで外れないようになる。
【００４５】
（実施形態４）
実施形態４に係る接続端子は、実施形態２に係る接続端子３０とは、弾性部材としてバネが取り付けられている点が異なっており、他の点は同じであるので、異なっている点のみを説明する。
【００４６】
図１０に示すように、本実施形態に係る接続端子３４では２つの端子部２５，２５を針金を曲げたバネ４２が連結している。このバネ４２は、端子部２５，２５の先端が互いに離れる方向に力が加えられた場合に、逆に弾性力によって先端同士が近づく方向に力を加えるものである。従って本実施形態も実施形態３と同様に、実施形態１よりもさらに強くネジ７２，７２を挟み込んで外れないようになる。
【００４７】
（その他の実施形態）
これまで説明した実施形態は本発明の例であって、本発明はこれらの例に限定されない。
【００４８】
実施形態１において端子部１５の形状はビス６２をしっかりと挟み込むことができればどのような形状でも構わない。接触部１１，１１の後端が繋がっていてもよい。端子部１５の素材は、金属線材以外のもの、例えば金属板、樹脂成型物の一部に金属が埋め込まれたもの又は貼り合わせられたものなどでも構わない。２つの接触部１１，１１は対称な形状を有していなくてもよいし、一方が導電性を有していなくても構わない。
【００４９】
実施形態２〜４において、接続端子が単独である場合に、端子部２５，２５の先端が接触している状態でなくても構わない。また、端子部２５，２５は固定部２２から真っ直ぐ伸びている必要はなく、途中で曲折していてもよい。
【産業上の利用可能性】
【００５０】
以上説明したように、本発明に係る接続端子は、基材面から突き出している導電体部材に確実に接続して外れにくいので、電力量計やチェックターミナルなどの電圧測定用接続端子等として有用である。
【図面の簡単な説明】
【００５１】
【図１】チェックターミナルのうち一つのターミナルを横から見た図である。
【図２】実施形態１の接続端子のカバーを外した内部構造を表す図である。
【図３】実施形態１の接続端子がターミナルに接続している状態を示す図である。
【図４】電力量計内の電力線を固定するネジの斜視図である。
【図５】実施形態２の接続端子の正面図である。
【図６】実施形態２の接続端子がネジに接続している状態を示す図である。
【図７】図６のＡ−Ａ線断面図である。
【図８】実施形態２の別の端子部の断面図である。
【図９】実施形態３の接続端子の正面図である。
【図１０】実施形態４の接続端子の正面図である。
【符号の説明】
【００５２】
１１            接触部
１２            固定部
１５            端子部
２１            接触部
２２            固定部
２５            端子部
２７            接触部
３０            接続端子
３２            接続端子
３４            接続端子
３５            端子部
４１            バネ
４２            バネ
６１            基材
６２            ビス（ネジ）
６８            軸部
７２            ネジ
７３            穴底面（基材面）
７７            頭部
７８            軸部
【図１】
2007103227.tif 000003
【図２】
2007103227.tif 000004
【図３】
2007103227.tif 000005
【図４】
2007103227.tif 000006
【図５】
2007103227.tif 000007
【図６】
2007103227.tif 000008
【図７】
2007103227.tif 000009
【図８】
2007103227.tif 000010
【図９】
2007103227.tif 000011
【図１０】
2007103227.tif 000012